(57)【特許請求の範囲】
【請求項１】
複数種の筐体が結合された連結筐体と、前記筐体の外部に配置され磁気テープ媒体へ情報の記録・再生を行う磁気テープドライブと、前記筐体の内壁に配置され前記磁気テープ媒体を格納する収納庫と、前記連結筐体内に固定されるレールと、前記レール上に支持され前記レール上を移動するアクセッサと、前記磁気テープ媒体を把持し前記磁気テープドライブおよび前記収納庫に対して前記磁気テープ媒体の挿抜を行う前記アクセッサに設けられたピッカハンド部と、前記ピッカハンド部に設けられ前記磁気テープドライブおよび前記収納庫の前記筐体への実装位置を検出する位置検出器と、前記筐体の外部に配置され前記アクセッサおよび前記ハンド部を制御するアクセッサ制御部と、前記アクセッサ制御部を制御する装置制御部と、保守作業時に操作される保守パネルと、前記保守パネル近傍に設けられる外部記憶装置とを有し、前記装置制御部および前記アクセッサ制御部は、各々装置管理情報を記録しておく不揮発性メモリを有し、前記外部記憶装置は、前記不揮発性メモリに記録された前記装置管理情報を保存し、前記装置管理情報は、複数種の前記筐体が結合される組み合わせパターンによる前記連結筐体の種類、前記磁気テープドライブの種類と数、ユーザー向けに提供される機能の有効／無効情報、前記連結筐体への前記磁気テープドライブおよび前記収納庫の実装位置の理論値に対する位置ずれ誤差情報とを有し、前記装置制御部の前記不揮発性メモリは、複数種の前記筐体が連結される組み合わせパターンによる前記連結筐体の種類、前記磁気テープドライブの種類と数、ユーザー向けに提供される機能の有効／無効情報とが記録され、前記アクセッサ制御部の前記不揮発性メモリは、前記連結筐体への前記磁気テープドライブおよび前記収納庫の実装位置の理論値に対する位置ずれ誤差情報が記録されることを特徴とする集合型磁気テープ装置。
【請求項２】
前記位置検出器は、発光器と受光器とを有することを特徴とする請求項１記載の集合型磁気テープ装置。
【請求項３】
前記発光器は、発光ダイオードまたはレーザダイオードからなり、前記受光器は、フォトトランジスタからなることを特徴とする請求項２記載の集合型磁気テープ装置。
【請求項４】
前記ピッカハンド部は、上下移動機構と回転機構とを有することを特徴とする請求項１記載の集合型磁気テープ装置。
【請求項５】
前記アクセッサは、前記レール上に２台配置されることを特徴とする請求項１記載の集合型磁気テープ装置。
【請求項６】
前記磁気テープドライブは、複数台設置されることを特徴とする請求項１記載の集合型磁気テープ装置。
【請求項７】
前記保守パネルは、保守員向けのサービスメニュー表示部を有し、前記装置管理情報の設定手段と表示手段とを有することを特徴とする請求項１記載の集合型磁気テープ装置。
【請求項８】
前記連結筐体は、前記アクセッサ制御部と前記装置制御部と前記保守パネルと前記外部記憶装置とが実装された前記筐体と、前記磁気テープドライブが実装された前記筐体と、前記収納庫のみが実装された前記筐体とからなることを特徴とする請求項１記載の集合型磁気テープ装置。
【請求項９】
前記装置制御部は、前記不揮発性メモリの交換時に、前記外部記憶装置から前記装置管理情報を再生し、交換後の前記不揮発性メモリに前記装置管理情報を記録することを特徴とする請求項１記載の集合型磁気テープ装置。
【請求項１０】
前記外部記憶装置は、フロッピーディスク装置または光ディスク装置であることを特徴とする請求項１または９記載の集合型磁気テープ装置。
【請求項１１】
前記位置検出器は、前記収納庫および前記磁気テープドライブに各々設けられた外枠の位置を検出することを特徴とする請求項１または２記載の集合型磁気テープ装置。
【請求項１２】
複数種の筐体が結合された連結筐体と、前記筐体の外部に配置され磁気テープ媒体へ情報の記録・再生を行う磁気テープドライブと、前記筐体の内壁に配置され前記磁気テープ媒体を格納する収納庫と、前記連結筐体内に固定されるレールと、前記レール上に支持され前記レール上を移動するアクセッサと、前記磁気テープ媒体を把持し前記磁気テープドライブおよび前記収納庫に対して前記磁気テープ媒体の挿抜を行う前記アクセッサに設けられたピッカハンド部と、前記ピッカハンド部に設けられ前記磁気テープドライブおよび前記収納庫の前記筐体への実装位置を検出する位置検出器と、前記筐体の外部に配置され前記アクセッサおよび前記ハンド部を制御するアクセッサ制御部と、前記アクセッサ制御部を制御する装置制御部と、保守作業時に操作される保守パネルと、前記保守パネル近傍に設けられる外部記憶装置とを有し、前記装置制御部および前記アクセッサ制御部の各々の不揮発性メモリに装置管理情報を記録しておくステップと、前記不揮発性メモリに記録された前記装置管理情報を前記外部記憶装置に保存するステップとを有し、複数種の前記筐体が連結される組み合わせパターンによる前記連結筐体の種類、前記磁気テープドライブの種類と数、ユーザー向けに提供される機能の有効／無効情報との前記装置管理情報を前記装置制御部の前記不揮発性メモリに記録するステップと、前記連結筐体への前記磁気テープドライブおよび前記収納庫の実装位置の理論値に対する位置ずれ誤差情報の前記装置管理情報を前記アクセッサ制御部の前記不揮発性メモリに記録するステップと、前記不揮発性メモリの交換時に、前記装置制御部により前記外部記憶装置から前記装置管理情報を再生し、交換後の前記不揮発性メモリに前記装置管理情報を記録するステップとを有することを特徴とする集合型磁気テープ装置の管理情報引き継ぎ方法。
【発明の詳細な説明】
【０００１】
【発明の属する技術分野】
本発明は、集合型磁気テープ装置に関し、特に、外部記憶装置に装置管理情報を保存しておくことにより、装置制御部およびアクセッサ制御部に設けられた不揮発性メモリを故障または耐久寿命によって交換したときに、交換後の新品の不揮発性メモリに外部記憶装置に保存した装置管理情報を記録することができ、不揮発性メモリに装置管理情報を再設定する工数を大幅に短縮させることのできる集合型磁気テープ装置に関する。
【０００２】
【従来の技術】
従来のこの種の集合型磁気テープ装置について、図面を参照して説明する。
【０００３】
図５は、従来の集合型磁気テープ装置２００を示す概略構成平面図である。
【０００４】
図５を参照すると、集合型磁気テープ装置２００は、筐体（１）１０１ａ、筐体（２）１０１ｂ、筐体（３）１０１ｃ、筐体（４）１０１ｄ、筐体（５）１０１ｅとが結合された連結筐体１０１と、筐体（３）１０１ｃの外部に配置され磁気テープ媒体（図示せず）へ情報の記録・再生を行う磁気テープドライブ１０８と、筐体（１）１０１ａ〜筐体（５）１０１ｅの内壁に配置され磁気テープ媒体を格納する収納庫１０２と、連結筐体１０１内に固定されるレール１１１と、レール１１１上に支持されレール１１１上を移動するアクセッサ（Ｌ）１４０、アクセッサ（Ｒ）１４１と、アクセッサ（Ｌ）１４０、アクセッサ（Ｒ）１４１に各々設けられ磁気テープ媒体を把持し磁気テープドライブ１０８および収納庫１０２に対して磁気テープ媒体の挿抜を行うピッカハンド部（Ｌ）１３０、ピッカハンド部（Ｒ）１３１と、ピッカハンド部（Ｌ）１３０、ピッカハンド部（Ｒ）１３１に各々設けられ磁気テープドライブ１０８の筐体（３）１０１ｃへの実装位置および収納庫１０２の筐体（１）１０１ａ〜筐体（５）１０１ｅへの実装位置を検出する位置検出器１１３、１１４と、筐体（２）１０１ｂの外部に配置されアクセッサ（Ｌ）１４０、アクセッサ（Ｒ）１４１およびピッカハンド部（Ｌ）１３０、ピッカハンド部（Ｒ）１３１を制御するアクセッサ制御部１０５と、アクセッサ制御部１０５を制御する装置制御部１０６と、保守作業時に操作される保守パネル１０９と、保守パネル１０９近傍に設けられるフロッピーディスク装置（ＦＤＤ）１１０とから構成され、装置制御部１０６は、不揮発性メモリ１６１を備え、アクセッサ制御部１０５は、不揮発性メモリ１５１を備え、不揮発性メモリ１６１には、装置管理情報として、筐体（１）１０１ａ、筐体（２）１０１ｂ、筐体（３）１０１ｃ、筐体（４）１０１ｄ、筐体（５）１０１ｅとが連結される組み合わせパターンによる連結筐体１０１の種類、磁気テープドライブ１０８の種類と数、ユーザー向けに提供される機能の有効／無効情報とが記録され、不揮発性メモリ１５１には、装置管理情報として、連結筐体１０１への磁気テープドライブ１０８および収納庫１０２の実装位置の理論値に対する位置ずれ誤差情報が記録されるよう構成されている。
【０００５】
次に、上述のように構成された集合型磁気テープ装置２００の装置管理情報が記録されている不揮発性メモリ１５１、１６１が、故障または耐久寿命をすぎて交換される際の動作について説明する。
【０００６】
先ず、装置制御部１０６の不揮発性メモリ１６１を新品と交換して実装した場合は、失われた装置管理情報として、筐体（１）１０１ａ〜筐体（５）１０１ｅの組み合わせパターンによる連結筐体１０１の種類、磁気テープドライブ１０８の種類と数、ユーザー向けに提供される機能の有効／無効情報とを設定するために、保守パネル９より失われた装置管理情報を保守員が全て手入力する。
【０００７】
アクセッサ制御部１０５の不揮発性メモリ１５１を新品と交換して実装した場合は、失われた装置管理情報として、連結筐体１０１への磁気テープドライブ１０８および収納庫１０２の実装位置の理論値に対する位置ずれ誤差を計測するため、装置制御部１０６がアクセッサ制御部１０５に対して、連結筐体１０１への磁気テープドライブ１０８および収納庫１０２の実装位置の理論値に対する位置ずれ誤差を読み出す処理を命じる。
【０００８】
アクセッサ制御部１０５は、アクセッサ（Ｌ）１４０とピッカハンド部（Ｌ）１３０、または、アクセッサ（Ｒ）１４１とピッカハンド部（Ｒ）１３１により収納庫１０２と磁気テープドライブ１０８の実装位置ずれ計測を実行する制御を行う（以降、便宜上、アクセッサ（Ｌ）１４０とピッカハンド部（Ｌ）１３０により収納庫１０２と磁気テープドライブ１０８の実装位置ずれ計測を実行する場合について説明する）。
【０００９】
アクセッサ制御部１０５は、アクセッサ（Ｌ）１４０とピッカハンド部（Ｌ）１３０とを移動動作させ、連結筐体１０１の最初の収納庫１０２の基準位置に移動させる（なお、基準位置は、収納庫１０２または磁気テープドライブ１０８から磁気テープ媒体を挿抜するために、アクセッサ（Ｌ）１４０とピッカハンド部（Ｌ）１３０とを各々の収納庫１０２または磁気テープドライブ１０８に対して停止させる理論上の位置であり、アクセッサ制御部１０５が、デフォルト値として保持している）。
【００１０】
基準位置に移動後、位置検出器１１３により、全ての収納庫１０２、および磁気テープドライブ１０８に対して、各々の基準位置からの実装位置ずれ誤差を計測し、アクセッサ制御部１０５は、計測した位置ずれ誤差情報を不揮発性メモリ１５１に記録する（なお、位置検出器１１３により、全ての収納庫１０２、および磁気テープドライブ１０８に対して、各々の基準位置からの実装位置ずれ誤差を計測する動作の詳細については、ここでは省略する）。
【００１１】
つまり、装置制御部１０６、アクセッサ制御部１０５に実装されている不揮発性メモリ１６１、１５１が、故障または耐久寿命をすぎて交換される際に、不揮発性メモリ１６１、１５１に記録されていた装置管理情報が、新品の不揮発性メモリ１６１、１５１に引き継がれていないため、不揮発性メモリ１６１、１５１を交換する際には、上述のように、装置管理情報を新品の不揮発性メモリ１６１、１５１に引き継ぐのに多大な工数を要するという欠点がある。
【００１２】
【発明が解決しようとする課題】
以上説明したように、従来の集合型磁気テープ装置は、装置管理情報が記録されている不揮発性メモリを故障または耐久寿命により交換する際、不揮発性メモリに記録されていた装置管理情報を新品の不揮発性メモリに引き継ぐため、保守員は、保守パネルより情報設定を全て手入力で行い、また、連結筐体への全ての磁気テープドライブおよび収納庫の実装位置の理論値に対する位置ずれ誤差を計測し、計測した位置ずれ誤差情報を不揮発性メモリに記録するため、多大な工数を要するという課題がある。
【００１３】
本発明の目的は、不揮発性メモリの装置管理情報をフロッピーディスク媒体に保存しておき、装置管理情報を引継ぐことにより、不揮発性メモリを交換した際に、交換した新しい不揮発性メモリに装置管理情報をフロッピーディスク媒体から展開することにより、装置管理情報の再設定、および位置ずれ誤差情報の計測が不要となり、大幅な工数の短縮が図られる集合型磁気テープ装置を提供することにある。
【００１４】
【課題を解決するための手段】
本発明の集合型磁気テープ装置は、複数種の筐体が結合された連結筐体と、筐体の外部に配置され磁気テープ媒体へ情報の記録・再生を行う磁気テープドライブと、筐体の内壁に配置され磁気テープ媒体を格納する収納庫と、連結筐体内に固定されるレールと、レール上に支持されレール上を移動するアクセッサと、磁気テープ媒体を把持し磁気テープドライブおよび収納庫に対して磁気テープ媒体の挿抜を行うアクセッサに設けられたピッカハンド部と、ピッカハンド部に設けられ磁気テープドライブおよび収納庫の筐体への実装位置を検出する位置検出器と、筐体の外部に配置されアクセッサおよびハンド部を制御するアクセッサ制御部と、アクセッサ制御部を制御する装置制御部と、保守作業時に操作される保守パネルと、保守パネル近傍に設けられる外部記憶装置とを有し、装置制御部およびアクセッサ制御部は、各々装置管理情報を記録しておく不揮発性メモリを有し、外部記憶装置は、不揮発性メモリに記録された装置管理情報を保存し、装置管理情報は、複数種の筐体が結合される組み合わせパターンによる連結筐体の種類、磁気テープドライブの種類と数、ユーザー向けに提供される機能の有効／無効情報、連結筐体への磁気テープドライブおよび収納庫の実装位置の理論値に対する位置ずれ誤差情報とを有し、装置制御部の不揮発性メモリは、複数種の筐体が連結される組み合わせパターンによる連結筐体の種類、磁気テープドライブの種類と数、ユーザー向けに提供される機能の有効／無効情報とが記録され、アクセッサ制御部の不揮発性メモリは、連結筐体への磁気テープドライブおよび収納庫の実装位置の理論値に対する位置ずれ誤差情報が記録されることを特徴とする。
【００１８】
位置検出器は、発光器と受光器とを有することを特徴とする。
【００１９】
発光器は、発光ダイオードまたはレーザダイオードからなり、受光器は、フォトトランジスタからなることを特徴とする。
【００２０】
ピッカハンド部は、上下移動機構と回転機構とを有することを特徴とする。
【００２１】
アクセッサは、レール上に２台配置されることを特徴とする。
【００２２】
磁気テープドライブは、複数台設置されることを特徴とする。
【００２３】
保守パネルは、保守員向けのサービスメニュー表示部を有し、装置管理情報の設定手段と表示手段とを有することを特徴とする。
【００２４】
連結筐体は、アクセッサ制御部と装置制御部と保守パネルと外部記憶装置とが実装された筐体と、磁気テープドライブが実装された筐体と、収納庫のみが実装された筐体とからなることを特徴とする。
【００２５】
装置制御部は、不揮発性メモリの交換時に、外部記憶装置から装置管理情報を再生し、交換後の不揮発性メモリに装置管理情報を記録することを特徴とする。
【００２６】
外部記憶装置は、フロッピーディスク装置または光ディスク装置であることを特徴とする。
【００２７】
位置検出器は、収納庫および磁気テープドライブに各々設けられた外枠の位置を検出することを特徴とする。
本発明の集合型磁気テープ装置の管理情報引き継ぎ方法は、複数種の筐体が結合された連結筐体と、筐体の外部に配置され磁気テープ媒体へ情報の記録・再生を行う磁気テープドライブと、筐体の内壁に配置され磁気テープ媒体を格納する収納庫と、連結筐体内に固定されるレールと、レール上に支持されレール上を移動するアクセッサと、磁気テープ媒体を把持し磁気テープドライブおよび収納庫に対して磁気テープ媒体の挿抜を行うアクセッサに設けられたピッカハンド部と、ピッカハンド部に設けられ磁気テープドライブおよび収納庫の筐体への実装位置を検出する位置検出器と、筐体の外部に配置されアクセッサおよびハンド部を制御するアクセッサ制御部と、アクセッサ制御部を制御する装置制御部と、保守作業時に操作される保守パネルと、保守パネル近傍に設けられる外部記憶装置とを有し、装置制御部およびアクセッサ制御部の各々の不揮発性メモリに装置管理情報を記録しておくステップと、不揮発性メモリに記録された装置管理情報を外部記憶装置に保存するステップとを有し、複数種の筐体が連結される組み合わせパターンによる前連結筐体の種類、磁気テープドライブの種類と数、ユーザー向けに提供される機能の有効／無効情報との装置管理情報を装置制御部の不揮発性メモリに記録するステップと、連結筐体への磁気テープドライブおよび収納庫の実装位置の理論値に対する位置ずれ誤差情報の装置管理情報をアクセッサ制御部の不揮発性メモリに記録するステップと、不揮発性メモリの交換時に、装置制御部により外部記憶装置から装置管理情報を再生し、交換後の不揮発性メモリに装置管理情報を記録するステップとを有することを特徴とする。
【００２８】
【発明の実施の形態】
次に、本発明の集合型磁気テープ装置の一実施の形態について、図面を参照して説明する。
【００２９】
図１は、本発明の集合型磁気テープ装置の概略構成を示す平面図、図２（ａ）は、図１中のＡ部拡大詳細図、図２（ｂ）は、図２（ａ）の矢視Ｂを示す図、図３は、構成要素の関連を示すブロック図である。
【００３０】
図１、図２および図３を参照すると、集合型磁気テープ装置１００は、筐体（１）１ａ、筐体（２）１ｂ、筐体（３）１ｃ、筐体（４）１ｄ、筐体（５）１ｅとが結合された連結筐体１と、筐体（３）１ｃの外部に配置され磁気テープ媒体１２へ情報の記録・再生を行う磁気テープドライブ８と、筐体（１）１ａ〜筐体（５）１ｅの内壁に配置され磁気テープ媒体１２を格納する収納庫２と、連結筐体１内に固定されるレール１１と、レール１１上に支持されレール１１上を移動するアクセッサ（Ｌ）４０、アクセッサ（Ｒ）４１と、アクセッサ（Ｌ）４０、アクセッサ（Ｒ）４１に各々設けられ磁気テープ媒体１２を把持し磁気テープドライブ８および収納庫２に対して磁気テープ媒体１２の挿抜を行うピッカハンド部（Ｌ）３０、ピッカハンド部（Ｒ）３１と、ピッカハンド部（Ｌ）３０、ピッカハンド部（Ｒ）３１に各々設けられ磁気テープドライブ８の筐体（３）１ｃへの実装位置および収納庫２の筐体（１）１ａ〜筐体（５）１ｅへの実装位置を検出する位置検出器１３、１４と、筐体（２）１ｂの外部に配置されアクセッサ（Ｌ）４０、アクセッサ（Ｒ）４１およびピッカハンド部（Ｌ）３０、ピッカハンド部（Ｒ）３１を制御するアクセッサ制御部５と、アクセッサ制御部５を制御する装置制御部６と、保守作業時に操作される保守パネル９と、保守パネル９近傍に設けられるフロッピーディスク装置（ＦＤＤ）１０とから構成され、装置制御部６は、不揮発性メモリ６１を備え、アクセッサ制御部５は、不揮発性メモリ５１を備え、不揮発性メモリ６１には、装置管理情報として、筐体（１）１ａ、筐体（２）１ｂ、筐体（３）１ｃ、筐体（４）１ｄ、筐体（５）１ｅとが連結される組み合わせパターンによる連結筐体１の種類、磁気テープドライブ８の種類と数、ユーザー向けに提供される機能の有効／無効情報とが記録され、不揮発性メモリ５１には、装置管理情報として、連結筐体１への磁気テープドライブ８および収納庫２の実装位置の理論値に対する位置ずれ誤差情報が記録され、フロッピーディスク装置１０は、不揮発性メモリ５１、６１に記録された装置管理情報を保存するよう構成される。
【００３１】
連結筐体１は、アクセッサ制御部５と装置制御部６と保守パネル９とフロッピーディスク装置１０とが実装された筐体（２）１ｂと、複数の磁気テープドライブ８が実装された筐体（３）１ｃと、収納庫２のみが実装された筐体（１）１ａ、筐体（４）１ｄ、筐体（５）１ｅとから構成されている。
【００３２】
位置検出器１３、１４は、発光ダイオードからなる発光器１３ａと、フォトトランジスタからなる受光器１３ｂとで構成され、収納庫２に設けられた外枠２ａの位置を検出して収納庫２の実装位置の理論値に対する位置ずれ誤差を計測し、また、磁気テープドライブ８に設けられた外枠（図示せず）の位置を検出して磁気テープドライブ８の実装位置の理論値に対する位置ずれ誤差を計測するよう構成されている。
【００３３】
保守パネルは、保守員向けのサービスメニュー表示部（図示せず）を有し、保守作業時に、表示部を選択、入力することにより装置管理情報の設定、表示を行えるよう構成されている。
【００３４】
次に、以上のように構成された集合型磁気テープ装置１００の動作に付いて、図１〜３を参照して説明する。
【００３５】
集合型磁気テープ装置１００をユーザーのマシン室に設置後、電源を投入し、保守員が保守パネル９を用いて、連結筐体１の種類、磁気テープドライブ８の種類と数、ユーザー向けに提供される機能の有効／無効情報の設定を行う。
【００３６】
保守パネル９は、設定された情報を装置制御部６に送り、装置制御部６は不揮発性メモリ６１に記録する。
【００３７】
次に、保守員は、保守パネル９のサービスメニュー表示部から収納庫２と磁気テープドライブ８の実装位置ずれ計測を実行するように選択する。
【００３８】
保守パネル９は、装置制御部６に命令を伝え、命令を受信した装置制御部６は、アクセッサ制御部５に実装位置ずれ計測を実行する動作を命じる。
【００３９】
アクセッサ制御部５は、設定された装置管理情報から装置の種類を判断し、アクセッサ（Ｌ）４０とピッカハンド部（Ｌ）３０、または、アクセッサ（Ｒ）４１とピッカハンド部（Ｒ）３１により収納庫２と磁気テープドライブ８の実装位置ずれ計測を実行する制御を行うが、以降、便宜上、アクセッサ（Ｌ）４０とピッカハンド部（Ｌ）３０により収納庫２と磁気テープドライブ８の実装位置ずれ計測を実行する場合について説明する。
【００４０】
アクセッサ制御部５は、アクセッサ（Ｌ）４０とピッカハンド部（Ｌ）３０とを移動動作させ、連結筐体１の最初の収納庫２の基準位置に移動させる（なお、基準位置は、収納庫２または磁気テープドライブ８から磁気テープ媒体１２を挿抜するために、アクセッサ（Ｌ）４０とピッカハンド部（Ｌ）３０とを各々の収納庫２または磁気テープドライブ８に対して停止させる理論上の位置であり、アクセッサ制御部５が、デフォルト値として保持している）。
【００４１】
移動動作は、アクセッサ（Ｌ）４０をＸ方向に移動させ、ピッカハンド部（Ｌ）３０をアクセッサ（Ｌ）４０上でＺ方向に移動させて位置決めされるが、連結筐体１の前後に配置される複数の収納庫２と前側に配置される複数の磁気テープドライブ８の全てに対して、磁気テープ媒体１２の挿抜を可能ならしめるべく、ピッカハンド部（Ｌ）３０は、アクセッサ（Ｌ）４０上で１８０度回転する回転機構（図示せず）が設けられている。
【００４２】
基準位置に移動後、位置検出器１３により、発光器１３ａからの投射光を収納庫２の外枠２ａからの反射光を受光器１３ｂで検出すべく、アクセッサ（Ｌ）４０とピッカハンド部（Ｌ）３０とを移動させ、収納庫２の実装位置ずれ誤差の計測を行う。
【００４３】
従って、基準位置から位置検出器１３で収納庫２の外枠２ａを検出するまでのアクセッサ（Ｌ）４０とピッカハンド部（Ｌ）３０との移動量が、収納庫２の実装位置ずれ誤差となる。
【００４４】
上述と同様に、全ての収納庫２、および磁気テープドライブ８に対して、各々の基準位置からの実装位置ずれ誤差を計測し、アクセッサ制御部５は、計測した位置ずれ誤差情報を不揮発性メモリ５１に記録する。
【００４５】
以上の処理を正常に終了したことを確認した保守員は、フロッピーディスク媒体（図示せず）をフロッピーディスク装置１０に挿入し、保守パネル９から、不揮発性メモリ６１の装置管理情報の吸い出しを命じる。
【００４６】
保守パネル９から命令を受信した装置制御部６は、不揮発性メモリ６１から装置管理情報を読み出し、フロッピーディスク装置１０を起動してフロッピーディスク媒体に保存する。
【００４７】
なお、装置管理情報のフロッピーディスク媒体への保存処理は、保守パネル９から入力された装置管理情報が更新される度に実行する。
【００４８】
次に、保守員は、保守パネル９から位置ずれ誤差情報の吸い出しを命じる。
【００４９】
保守パネル９から命令を受信した装置制御部６は、アクセッサ制御部５に対して位置ずれ誤差情報の読み出しを命じ、アクセッサ制御部５は、不揮発性メモリ５１から位置ずれ誤差情報を読み出し、装置制御部６に送信する。
【００５０】
装置制御部６は、受信した位置ずれ誤差情報を、フロッピーディスク装置１０を起動して、フロッピーディスク媒体に保存するが、この位置ずれ誤差情報の保存処理は、収納庫２または磁気テープドライブ８の取り付け／取り外しが行われ、実装位置ずれ誤差の計測が行われた後に、その都度実行する。
【００５１】
次に、集合型磁気テープ装置１００を運用し続け、不揮発性メモリ５１、６１が故障した場合、または、耐久寿命を過ぎた場合の処理動作に付いて、図面を参照して説明する。
【００５２】
図４は、不揮発性メモリ５１、６１を交換した場合の動作を示すフローチャートである。
【００５３】
図４を参照すると、保守員は、まず集合型磁気テープ装置１００の電源を落とし、古い不揮発性メモリ６１、５１を、装置制御部６またはアクセッサ制御部５から取り外し、新品の不揮発性メモリ６１、５１を取り付け、再び電源を投入すした後、以前に装置管理情報を保存していたフロッピーディスク媒体をフロッピーディスク装置１０に挿入し、保守パネル９から、装置管理情報の吸い上げを命じる（Ｓ４１）。
【００５４】
保守パネル９から命令を受信した装置制御部６は、フロッピーディスク装置１０を起動させ、フロッピーディスク媒体から装置管理情報を読み出す（Ｓ４２）。
【００５５】
装置制御部６は、読み出されたデータが装置管理情報の位置ずれ誤差情報であるか否かを判別する（Ｓ４３）。
【００５６】
位置ずれ誤差情報であった場合には、位置ずれ誤差情報をアクセッサ制御部５に送信し（Ｓ４４）、アクセッサ制御部５は、受信した位置ずれ誤差情報を不揮発性メモリ５１に展開する（Ｓ４５）。
【００５７】
読み出されたデータが位置ずれ誤差情報でなかった場合には、装置制御部６は、装置管理情報を不揮発性メモリ６１に展開する（Ｓ４６）。
【００５８】
装置制御部６は展開された装置管理情報を、アクセッサ制御部５は展開された位置ずれ誤差情報を用いて、集合型磁気テープ装置１００の運用を行う（Ｓ４７）。
【００５９】
上述のように、不揮発性メモリ５１、６１の装置管理情報をフロッピーディスク装置１０で使用されるフロッピーディスク媒体に保存しておくことにより、装置管理情報を引継ぎ、不揮発性メモリ５１、６１を交換した際に、交換した新しい不揮発性メモリ５１、６１に装置管理情報を展開するだけであり、装置管理情報の再設定、および位置ずれ誤差情報の計測を不要とし、大幅な工数の短縮が図られるという効果がある。
【００６０】
【発明の効果】
以上説明したように、本発明の集合型磁気テープ装置は、不揮発性メモリの装置管理情報をフロッピーディスク媒体に保存しておき、装置管理情報を引継ぐことにより、不揮発性メモリを交換した際に、交換した新しい不揮発性メモリに装置管理情報をフロッピーディスク媒体から展開するだけで済み、装置管理情報の再設定、および位置ずれ誤差情報の計測が不要となり、大幅な工数の短縮が図られるという効果がある。
【００６１】
また、集合型磁気テープ装置の大容量化、高性能化に伴い、磁気テープ媒体の収納庫の数、磁気テープドライブの数が増えた場合には、不揮発性メモリを交換した際に、装置管理情報をフロッピーディスク媒体から展開するだけで済み、一層、大幅な工数短縮ができるという効果がある。
【図面の簡単な説明】
【図１】本発明の集合型磁気テープ装置の概略構成を示す平面図である。
【図２】図２（ａ）は、図１中のＡ部拡大詳細図、図２（ｂ）は、図２（ａ）の矢視Ｂを示す図である。
【図３】構成要素の関連を示すブロック図である。
【図４】不揮発性メモリを交換した場合の動作を示すフローチャートである。
【図５】従来の集合型磁気テープ装置の概略構成を示す平面図である。
【符号の説明】
１、１０１    連結筐体
１ａ、１０１ａ    筐体（１）
１ｂ、１０１ｂ    筐体（２）
１ｃ、１０１ｃ    筐体（３）
１ｄ、１０１ｄ    筐体（４）
１ｅ、１０１ｅ    筐体（５）
２、１０２    収納庫
２ａ    外枠
５、１０５    アクセッサ制御部
６、１０６    装置制御部
８、１０８    磁気テープドライブ
９、１０９    保守パネル
１０、１１０    フロッピーディスク装置（ＦＤＤ）
１１、１１１    レール
１２    磁気テープ媒体
１３、１１３    位置検出器
１３ａ    発光器
１３ｂ    受光器
１４、１１４    位置検出器
３０、１３０    ピッカハンド部（Ｌ）
３１、１３１    ピッカハンド部（Ｒ）
４０、１４０    アクセッサ（Ｌ）
４１、１４１    アクセッサ（Ｒ）
５１、１５１    不揮発性メモリ
６１、１６１    不揮発性メモリ
１００、２００    集合型磁気テープ装置
【図１】
0003612480.tif 000002
【図２】
0003612480.tif 000003
【図３】
0003612480.tif 000004
【図４】
0003612480.tif 000005
【図５】
0003612480.tif 000006